(57)【特許請求の範囲】
【請求項１】
土壌及び植物を保持する緑化ユニットと、
建造物の壁面に設置され、前記緑化ユニットを移動自在に支持するガイド手段と、
を備え、
前記ガイド手段は、前記壁面から連続して前記建造物の屋上又は前記建造物の周囲における地盤の少なくとも一方に設置される建造物の緑化装置。
【請求項２】
前記屋上又は前記地盤上に設置され前記緑化ユニットを移動させる移動手段を有する請求項１に記載の建造物の緑化装置。
【請求項３】
前記ガイド手段は、前記緑化ユニットの前記植物に灌水する灌水手段を有する請求項１または２に記載の建造物の緑化装置。
【請求項４】
複数の前記緑化ユニットを有し、前記複数の緑化ユニットはチェーンによって連結され、前記移動手段は、ワイヤーを介して前記チェーンを牽引する請求項２に記載の建造物の緑化装置。
【請求項５】
前記緑化ユニットの両側がそれぞれ前記チェーンによって連結され、前記移動手段は、２本の前記ワイヤーによって前記両側のチェーンを牽引する請求項４に記載の建造物の緑化装置。
【請求項６】
前記ガイド手段が前記壁面における窓の側方に配置され、前記緑化ユニットが前記窓を遮蔽する位置に配置される請求項１から５の何れか１項に記載の建造物の緑化装置。
【発明の詳細な説明】
【技術分野】
【０００１】
本発明は、建造物の緑化装置に関し、更に詳細には、建造物の壁面を緑化するのに好適な技術に関する。
【背景技術】
【０００２】
最近、ヒートアイランド（Heat island）現象が問題になっている。ヒートアイランド
現象とは、周知のように、都市部の気温がその周辺の地域に比べて異常な高温を示す状況を指す。ヒートアイランド現象の原因は各種あるが、一つの原因として植物の減少が挙げられる。
【０００３】
このようなヒートアイランド現象を抑制するため、建造物の壁面を緑化する技術が提案されている。これは、壁面は屋上より面積が大きいので、壁面を緑化することにより緑化の効果が大きくなるからである。
【０００４】
従来、建造物の壁面を緑化する技術として、壁面に設けたワイヤーにツル植物を絡ませる、ツル植物を屋上から壁面に沿って下垂させる、或いは地面に植えたツル植物を壁面に沿って登攀させる技術、或いは植物を植えたポットを壁面に固定する技術が知られている。また、屋上を緑化する技術として、植物及び土壌を容器等に入れてユニット化（緑化ユニット）し、複数の緑化ユニットを屋上に敷設する技術が知られている。
【０００５】
【特許文献１】特開２００６−２７１３５８号公報
【特許文献２】特開２００７−２４４３３９号公報
【特許文献３】特開２００７−３７５１６号公報
【発明の開示】
【発明が解決しようとする課題】
【０００６】
しかしながら、従来の壁面緑化技術のうちツル植物で壁面を緑化する技術は、ツル植物以外の他の植物を利用できないという問題があった。また、壁面にポットを取り付ける技術は、ポットの設置作業及び管理が面倒になるという問題があった。
【０００７】
本発明は、このような問題に鑑みなされたもので、建造物の壁面を簡単に且つ各種の植物を用いて緑化できると共に、管理が容易な建造物の緑化技術の提供を課題とする。
【課題を解決するための手段】
【０００８】
本発明は、前記課題を解決するため、以下の手段を採用した。
すなわち、本発明は、
土壌及び植物を保持する緑化ユニットと、
建造物の壁面に設置され、前記緑化ユニットを移動自在に支持するガイド手段と、
を備える。
【０００９】
本発明によれば、ガイド手段に沿って緑化ユニットを壁面における緑化すべき部分に移動させることにより、壁面を簡単に緑化できる。また、緑化ユニットを屋上付近又は建造物における周囲の地盤付近に移動させることにより、緑化ユニットの植物に対する灌水等のメンテナンスを容易にできると共に、植物の植え替え等を簡単にできるので、各種の植物を利用できる。
【００１０】
ここで、前記ガイド手段は、前記建造物の屋上又は前記建造物の周囲における地盤の少
なくとも一方に設置される構成にできる。この構成によれば、緑化ユニットを屋上又は地盤まで移動させることができるので、屋上又は地盤を緑化できる。また、緑化ユニットを屋上又は地盤上で管理できるので、管理が容易になり、専門業者に頼らずに一般の人が管理できる。
【００１１】
また、前記屋上又は前記地盤上に設置され前記緑化ユニットを移動させる移動手段を有する構成にできる。この構成によれば、緑化ユニットの移動が容易になる。なお、緑化ユニットの移動は手動によって行うこともできる。
【００１２】
また、前記ガイド手段は、前記緑化ユニットの前記植物に灌水する灌水手段有する構成にできる。この構成によれば、緑化ユニットを壁面に配置したままで簡単に灌水できる。
【００１３】
また、複数の前記緑化ユニットを有し、前記複数のユニットはチェーンによって連結される構成にできる。この構成によれば、複数の緑化ユニットを簡単に且つ確実に連結できる。
【００１４】
前記移動手段はワイヤーを介して前記チェーンを牽引する構成にできる。この構成によれば、移動手段として一般的なウィンチを利用できる。
【００１５】
また、前記緑化ユニットの両側がそれぞれ前記チェーンによって連結され、前記移動手段は、２本の前記ワイヤーによって前記両側のチェーンを牽引する構成にできる。この構成によれば、緑化ユニットを確実に移動できる。
【００１６】
また、前記ガイド手段が前記壁面における窓の側方に配置され、前記緑化ユニットが前記窓を遮蔽する位置に移動される構成にできる。この構成によれば、緑化ユニットをカーテンやよしずの代わりに利用できる。
【発明の効果】
【００１７】
本発明によれば、緑化ユニットとガイド手段による簡単な構成で建造物の壁面を緑化できる。また、緑化ユニットを建造物の屋上又は地盤付近に移動させることにより、緑化ユニットの管理が容易になると共に、緑化ユニットの植物を簡単に植え替えできるので、各種の植物を用いて緑化できる。
【発明を実施するための最良の形態】
【００１８】
以下、本発明に係る建造物の緑化装置の実施の形態を、添付した図面に基づいて詳細に説明する。なお、以下の実施形態は一実施例であり、本発明は実施形態に限定されない。
【００１９】
図１は、本発明に係る建造物の緑化装置１を示す。この緑化装置１は、土壌３５及び植物３６（図８，９参照）を保持する複数の緑化ユニット１２と、建造物５０の壁面５１及び屋上５２に連続的に設置され、緑化ユニット１２を移動自在に支持するガイド手段であるガイドレール１１と、建造物５０の屋上５２又は建造物５０の周囲の地盤５６、本実施形態では屋上５２に設置され、緑化ユニット１２を前記ガイドレール１１に沿って移動させる移動手段であるウィンチ１３と、を備える。
【００２０】
次に、上記各構成要素について説明する。ここでは、例えば３階建ての校舎を緑化する場合について説明する。屋上５２は、多少の凹凸はあるが平坦な部分が多い。各階の壁面５１には、複数の窓５５が設けられている。ガイドレール１１は、壁面５１の全高さＨ、及び屋上５２のウィンチ１３を設置する部分を除いて略全幅Ｌに亘って連続的に設けられている。また、屋上５２における緑化すべき壁面５１側の端部には、ガイドレール１１及び緑化ユニット１２を通すための開口を有するフェンス５７が設けられている。
【００２１】
ガイドレール１１は、互いに所定の間隔を開けて複数列、本実施形態では４列設けられている。このガイドレール１１は、屋外仕様のため防錆上の要請からステンレス製（例えば、ＳＵＳ３０４）の形鋼等によって形成されている。ここでは、図２及び図３に示すように、例えば互いに平行なフランジ２１，２１と、フランジ２１，２１の中心部を連結するウェブ２２とを有するＨ形鋼（２００×２００×８×１２）を使用する。
【００２２】
ガイドレール１１は、緑化ユニット１２を屋上５２又は壁面５１に擦らずに移動させるため、屋上５２又は壁面５１に適宜な距離だけ離して、架台４２（図６参照）等によって屋上５２又は壁面５１に設置されている。
【００２３】
緑化ユニット１２は、図１に示すように、ガイドレール１１，１１間に複数列、本実施形態では３列に亘って配置されている。これらの緑化ユニット１２の両側は、図２及び図３に示すように、緑化ユニット１２に設けられたチェーン取付機構４０によって、チェーン２３に着脱自在に取り付けられている。これにより、緑化ユニット１２自体を簡単に交換できる。チェーン取付機構４０は、図４に示すように、例えば回転軸２７に取り付けられたチェーン取付用ベアリング４３をマスターリング４４で取り囲むことにより構成できる。チェーン２３は、その端部がマスターリング４４に取り付けられる。
【００２４】
チェーン２３は、緑化ユニット１２とガイドレール１１貫のスペース内に移動自在に配置されている。また、チェーン２３は、強度の高い金属材料、例えば特殊合金等によって形成されている。図５に示すように、屋上５２の角部５２ａ近傍では、チェーン２３が角部５２ａで損傷するのを防止するため、ガイドレール１１が円弧状に形成され、更にガイドレール１１に沿って多数のガイドローラ４１が設けられている。
【００２５】
緑化ユニット１２は、図６及び図７に示すように、プランタン状の容器２５を有している。容器２５には土壌３５が充填され、この土壌３５に植物３６が植えられる。本実施形態では、容器２５は断面が菱形状で、長さＬ＝８５０ｍｍ、幅Ｂ＝３６０ｍｍ、高さＹ＝１８０ｍｍ程度に形成されている。容器２５の断面形状を菱形としたのは、断面形状が四角形の場合に比べて土壌３５の容積を少なくして軽量化でき、しかも断面形状が四角形の場合と略同量の植物３６を植栽できるからである。
【００２６】
容器２５は、例えばステンレス鋼（ＳＵＳ３０４等）によって形成され、その表面は太陽光の反射を防ぐために、ぼかし仕上げが施されている。また、容器２５の外周面をパンチングメタル状に加工することにより、外観のデザイン性を高めて威圧感を低減すると同時に、軽量化も図ることができる。また、容器２５の外周面をパンチングメタル状に形成した場合は、内面に不織布３７を貼り付けることにより、土壌３５の流出を防止できると共に、土壌３５内の水が過剰に漏れ出るのを防止できる。
【００２７】
図３及び図８に示すように、容器２５は保持部材２６を介して回転軸２７につり下げられている。保持部材２６は容器２５から上方に延びており、保持部材２６と回転軸２７は、保持部材２６の端部に設けられた容器保持用ベアリング４５を回転軸２７に挿通させることで、回転自在に連結されている。回転軸２７は、チェーン２３にチェーン取付機構４０によって着脱自在に取り付けられている（図４参照）。チェーン２３がガイドレール１１に沿って移動することにより、緑化ユニット１２も移動する。
【００２８】
図２及び図３に示すように、回転軸２７には、例えばタイヤなどの車輪２８が回転自在に設けられている。車輪２８は、ガイドレール１１におけるフランジ２１，２１間の隙間と略同一の直径を有している。これにより、緑化ユニット１２がガイドレール１１に沿って移動する際に、車輪２８すなわち緑化ユニット１２がガタ付くのを抑制できる。緑化ユ
ニット１２に牽引力が作用した場合、車輪２８はガイドレール１１におけるフランジ２１上を回転する。これにより、緑化ユニット１２は、ガイドレール１１上を滑らかに移動する。
【００２９】
また、容器２５は、土壌３５及び植物３６を入れた際に、回転軸２７より下側の部分の方が上側の部分より重くなるように形成されている。上記のように、容器２５は回転軸２７に対して相対的に回転自在なので、緑化ユニット１２が壁面５１又は屋上５２に配置されているとき、容器２５は常に軽い方、すなわち開口２５ａ及び植物３６が上向きになる。これにより、容器２５内の土壌３５、植物３６、及び内部の水分が容器２５から落下するのを防止できる。
【００３０】
図６及び図７に示すように、容器２５の内部に充填する土壌３５は、比重を０．６程度に抑えて軽量化を図ると共に、飛散の少ない土壌とする。このような土壌は、例えば、リサイクル人工土壌のボストファーム（登録商標）７０％に、緩効性肥料である有機堆肥３０％を混入することによって構成できる。
【００３１】
植物３６は、常緑性つる植物のヘデラ等の観葉植物を中心に構成することにより、四季を通じて緑化が可能になるが、実際の運用では容器２５内の植物３６を柔軟に植え替えできる機能を最大限に利用して、季節やイベントに即応した植物を選定することができる。
【００３２】
ウィンチ１３は、図９に示すように、例えば建造物５０の屋上５２における緑化すべき壁面５１の反対側の端部５３に設置される。このウィンチ１３は、緑化ユニット１２を一列ごとに牽引する。本実施形態では、緑化ユニット１２が３列設けられているので、ウィンチ１３も３個設けられる。こられのウィンチ１３としては、例えば巻き取りドラム式低速ワイヤーウィンチ等を例示できる。また、ウィンチ１３は、中心で２分割されたドラム１３ａ，１３ｂを有している。これらのドラム１３ａ，１３ｂには、それぞれ１本のワイヤー３０，３０が同一の方向に巻き取られている。
【００３３】
これらの２本のワイヤー３０，３０は、それぞれ緑化ユニット１２の両側に取り付けられた２本のチェーン２３の一方に取り付けられている。すなわち、ウィンチ１３は、２本のワイヤー３０，３０によって、緑化ユニット１２の両側に設けられたチェーン２３を牽引することにより、連結された複数の緑化ユニット１２を同時に移動させる。
【００３４】
また、ウィンチ１３は、自動制御手段によって制御される。この自動制御手段は、予め定められた長さでワイヤー３０の牽引又は牽引停止を行うように、例えばリミットスイッチとの連携で電磁ブレーキを自動的に制御する。更に、自動制御の異常発生時に、ワイヤー３０がドラム１３ａ，１３ｂにおけるワイヤー層の巻き取り範囲の限界位置で停止するようにするため、制御装置には上限停止手段及び下限停止手段を内蔵した楊程制御装置を設けるのが好ましい。ウィンチ１３及び自動制御手段は、図１に示すように、例えばステンレス鋼（例えば、ＳＵＳ３０４）製のカバー３９によって被覆されている。
【００３５】
この緑化装置１によれば、例えば夏期の日中等、外気温度が高い場合には、壁面５１の窓５５を遮蔽する位置に緑化ユニット１２を配置することができる。これによって、緑化ユニット１２をカーテンやよしずの代わりに使用し室内の温度上昇を抑制できるので、冷房温度を高めに設定できる。建造物５０だけでなく、その周囲の地盤等が緑化されることにより、建造物５０における冷房設備が不要になることも考えられる。このような例としては、学校等の冷房設備のない建設物を例示できる。
【００３６】
また、例えば夜間には、夜間電力を用いて緑化ユニット１２を屋上５２に移動させることにより、緑化ユニット１２に対する灌水や、植物３６の入れ替え等の管理を屋上５２で
簡単に行うことができる。なお、冬季においては、日中でも緑化ユニット１２を屋上５２に配置することにより、窓５５を開放して室内に日光を取り込むことができる。また、屋上５２に緑化帯がある場合は、緑化ユニット１２を屋上５２の緑化帯と一体化できるようにするのが好ましい。
【００３７】
上記のように、壁面緑化と屋上緑化とを選択的に、又は両方を同時に実現できると共に、天候や季節の条件変化に対応して緑化ユニット１２を移動させることにより、あらゆる条件に対応した緑化が可能になる。また、緑化ユニット１２を壁面５１に配置することにより、地上から植物３６の鑑賞ができる。
【００３８】
また、軽量な土壌３５を使用することにより、容器２５及び車輪２８にかかる荷重を軽減できるので、容器２５又は車輪２８が破損するのを抑制できる。更に、２つの車輪２８によって緑化ユニット１２の重量を分担して負担するので、車輪２８の破損を抑制できる。更に、緑化ユニット１２は２本のチェーン２３，２３で保持されているため、より確実に緑化ユニット１２を保持できる。
【００３９】
また、緑化ユニット１２をガイドレール１１に取り付ける作業、緑化ユニット１２内の植物３６に灌水し又は剪定する等のメンテナンス作業等を屋上５２で行うことができるので、これらの作業が容易になる。これにより、これらの作業を専門業者に頼らず、一般の人が簡単に行うことができる。また、従来は困難であった窓５５の緑化が可能になり、しかも緑化ユニット１２を移動させることにより、窓５５を簡単に開放できる。
【００４０】
上記のように、緑化ユニット１２内の植物３６の灌水、剪定等の作業を専門業者に頼らず、一般の人が簡単に行うことができるので、緑化ユニット１２を学校、病院、一般のビルなどに設置して、生徒、患者、職員、一般の人たちに開放することにより、これらの人達が自分達で植物３６を育てることができる。例えば、学校の生徒が緑化ユニット１２の植物３６を育てることにより、植物３６を育てる達成感など教育的な効果を期待できると共に、安らぎ、憩い、癒し感等を提供できる。患者、職員、一般の人にとっても同様な効果がある。
【００４１】
なお、上記実施形態では、ガイドレール１１，チェーン２３，容器２５等をステンレス鋼で形成する場合について説明したが、各部の材質は自由に選択できる。また、土壌３５の成分も自由に選択できる。
【００４２】
また、緑化ユニット１２同士の間隔は、チェーン２３に対してチェーン取付機構４０を設ける位置を変更することにより、任意に調整できる。また、上記実施形態では、緑化ユニット１２を壁面５１から屋上５２に移動したとき、緑化ユニット１２同士の間隔は変わらないが、壁面５１から屋上５２に緑化ユニット１２を移動する場合は、例えばスキー場のゴンドラのように、緑化ユニット１２同士の間隔が自動的に狭くなる構成にできる。
【００４３】
これは、一般的に壁面５１の高さＨは屋上５２の幅Ｌより大きいため、壁面５１に緑化ユニット１２を配置する場合は、緑化ユニット１２同士の間隔を広くして緑化する範囲を広くし、屋上５２に緑化ユニット１２を配置する場合は、緑化ユニット１２同士の間隔を狭くして、全ての緑化ユニット１２を屋上５２に上げることができるようにするためである。
【００４４】
また、ガイドレール１１に沿ってワイヤーを設け、このワイヤーにツル植物を絡ませることができる。この場合は、より広範囲の緑化が可能になると共に、植物の種類が増えるので、緑化の効果が高くなる。
【００４５】
また、ガイドレール１１に配管等の導水設備を設け、この導水設備に給水ノズル等を設けることにより、各緑化ユニット１２に自動的に灌水できるように構成できる。灌水用の水は、雨水を循環して再利用できる。この場合は、雨水タンクを屋上５２又は建造物周辺の地盤上に設置することができる。地盤に雨水タンクを設置した場合は、雨水タンク内の雨水をポンプアップして屋上５２に設置したタンクに一時貯留し、タイマーで雨水を導水設備に給水し、導水設備から緑化ユニット１２に灌水することができる。
【００４６】
また、ガイドレール１１を建造物５０の周辺における地盤５６（図１参照）上に延ばすと共に、ウィンチ１３を地盤５６上に設置することができる。これにより、屋上５２が狭い場合でも屋上５２を有効に緑化できる。また、この場合は、地盤５６上に緑化ユニット１２を配置できる。これにより、地盤５６上で緑化ユニット１２のメンテナンスが可能になるので、作業が容易になる。
【００４７】
また、上記実施形態では、壁面５１と屋上５２の両方にガイドレール１１を設置する場合について説明したが、ガイドレール１１を壁面５１又は屋上５２の一方にのみ設置し、壁面５１又は屋上５２の一方のみを緑化することができる。
【図面の簡単な説明】
【００４８】
【図１】実施形態に係る建造物及び緑化装置を示す斜視図である。
【図２】実施形態に係る緑化ユニットを示す上面図である。
【図３】実施形態に係る緑化ユニットを示す正面図である。
【図４】本実施形態に係るチェーン取付機構を示す図である。
【図５】実施形態に係る建造物の角に設けたガイドローラを示す図である。
【図６】実施形態に係る緑化ユニットの容器、土壌、及び植物を示す断面図である。
【図７】実施形態に係る緑化ユニットにおける容器の断面形状を示す図である。
【図８】本実施形態に係る保持部材を示す図である。
【図９】実施形態に係るウィンチを緑化すべき壁面と反対側に設置した状態を示す上面図である。
【符号の説明】
【００４９】
１  緑化装置
１１  ガイドレール
１２  緑化ユニット
１３  ウィンチ
１３ａ，１３ｂ  ウィンチのドラム
２１  フランジ
２２  ウェブ
２３  チェーン
２５  容器
２５ａ  容器の開口
２６  保持部材
２７  回転軸
２８  車輪
３０  ワイヤー
３５  土壌
３６  植物
３７  不織布
３９  カバー
４０  チェーン取付機構
４１  ガイドローラ
４２  架台
４３  チェーン取付機構用ベアリング
４４  マスターリング
４５  容器保持用ベアリング
５０  建造物
５１  壁面
５２  屋上
５２ａ  屋上の角部
５３  屋上の端部
５５  窓
５６  地盤
【図１】
0005032375.tif 000002
【図２】
0005032375.tif 000003
【図３】
0005032375.tif 000004
【図４】
0005032375.tif 000005
【図５】
0005032375.tif 000006
【図６】
0005032375.tif 000007
【図７】
0005032375.tif 000008
【図８】
0005032375.tif 000009
【図９】
0005032375.tif 000010